(57)【要約】      （修正有）【課題】コンテンツ再生装置を直接的に制御する機能と間接的に制御する機能との切り替えをスムーズに行うことができ、かつ、これらの機能の切り替えに応じたコンテンツの入力ソースの切り替えの手間を削減することが可能なコンテンツ再生制御装置及びコンテンツ再生システム並びにコンテンツ再生方法及びコンテンツ再生プログラムを提供する。【解決手段】コンテンツ再生制御装置３００は、コンテンツ再生制御装置３００内の第１のコンテンツをコンテンツ再生装置１００において再生させるかコンテンツ出力装置２００内の第２のコンテンツをコンテンツ再生装置１００において再生させるかを選択させるための操作部３１０と、第２のコンテンツを再生させると選択された場合に、コンテンツ再生装置１００における入力ソースをコンテンツ出力装置２００に切り替えるようにコンテンツ再生装置１００に対して指示する制御部３１２とを備える。【選択図】図１
2015119382.tif 000002
【特許請求の範囲】
【請求項１】
コンテンツを再生するコンテンツ再生装置及び前記コンテンツ再生装置に前記コンテンツを出力するコンテンツ出力装置と接続され、前記コンテンツ再生装置及び前記コンテンツ出力装置を制御するコンテンツ再生制御装置であって、
当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、
前記第２のコンテンツを再生させると選択された場合に、前記コンテンツ再生装置における入力ソースを前記コンテンツ出力装置に切り替えるように前記コンテンツ再生装置に対して指示する制御部と、
を具備するコンテンツ再生制御装置。
【請求項２】
前記制御部は、前記第１のコンテンツを再生させると選択された場合に、前記コンテンツ再生装置における入力ソースを前記コンテンツ再生制御装置に切り替えるように前記コンテンツ再生装置に対して指示する、
請求項１に記載のコンテンツ再生制御装置。
【請求項３】
前記コンテンツ出力装置は、パーソナルコンピュータであり、前記制御部によるリモートデスクトップ制御によって前記第２のコンテンツを出力する、
請求項１又は２に記載のコンテンツ再生制御装置。
【請求項４】
前記コンテンツ再生装置は、プロジェクタであり、入力された前記第１のコンテンツ又は前記第２のコンテンツを投影面に投影する、
請求項１乃至３の何れか１項に記載のコンテンツ再生制御装置。
【請求項５】
前記コンテンツ再生装置は、前記コンテンツ再生制御装置とワイヤレス接続されている、
請求項１乃至４の何れか１項に記載のコンテンツ再生制御装置。
【請求項６】
コンテンツを再生するコンテンツ再生装置と、
前記コンテンツ再生装置に前記コンテンツを出力するコンテンツ出力装置と、
前記コンテンツ再生装置及び前記コンテンツ出力装置と接続され、前記コンテンツ再生装置及び前記コンテンツ出力装置を制御するコンテンツ再生制御装置であって、
当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、
前記第２のコンテンツを再生させると選択された場合に、前記コンテンツ再生装置における入力ソースを前記コンテンツ出力装置に切り替えるように前記コンテンツ再生装置に対して指示する制御部と、
を具備するコンテンツ再生制御装置と、
を有するコンテンツ再生システム。
【請求項７】
コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生方法であって、
前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、
前記第２のコンテンツを再生させると選択された場合に、前記コンテンツ再生装置における入力ソースを前記コンテンツ出力装置に切り替えるように前記コンテンツ再生装置に対して指示することと、
を具備するコンテンツ再生方法。
【請求項８】
コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生プログラムであって、前記コンテンツ再生プログラムは、前記コンテンツ再生制御装置の制御部に、
前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、
前記第２のコンテンツを再生させると選択された場合に、前記コンテンツ再生装置における入力ソースを前記コンテンツ出力装置に切り替えるように前記コンテンツ再生装置に対して指示することと、
を実行させるためのコンテンツ再生プログラム。
【発明の詳細な説明】
【技術分野】
【０００１】
本発明は、コンテンツ再生装置の制御をするコンテンツ再生制御装置及びそれらを備えたコンテンツ再生システム並びにコンテンツ再生方法及びコンテンツ再生プログラムに関する。
【背景技術】
【０００２】
近年、スマートフォンやタブレット端末等（以下、これらをスマートデバイスと総称する）を用いてプロジェクタ等のコンテンツ再生装置を制御するためのアプリケーションが多く開発されている。このようなアプリケーションを用いてコンテンツ再生装置が制御される場合、スマートデバイスがコンテンツの出力装置及びコンテンツ再生制御装置として機能する。すなわち、この場合、ユーザによってコンテンツ再生制御装置としてのスマートデバイスが操作されることにより、スマートデバイス内のコンテンツがコンテンツ再生装置に出力され、この出力されたコンテンツがコンテンツ再生装置において再生される。
【０００３】
また、近年、スマートデバイスを使用してパーソナルコンピュータ（ＰＣ）を制御するためのアプリケーションも開発されている。このようなＰＣの制御機能を利用することにより、ＰＣと接続されたコンテンツ再生装置をＰＣ経由で制御することも可能である。例えば、特許文献１において提案されているプレゼンテーションシステムは、ＰＣのキーボードと対応する信号を送信可能なリモコンによってＰＣを遠隔操作可能としている。特許文献１の技術においては、リモコンからの信号がＰＣにおいて受信されると、ＰＣ内のコンテンツがコンテンツ再生装置としてのプロジェクタに出力され、この出力されたコンテンツがプロジェクタにおいて再生される。この場合、ＰＣは、コンテンツ再生制御装置として機能するとともにコンテンツ出力装置として機能する。ユーザは、リモコンを介してコンテンツ出力装置としてのＰＣを操作することになる。
【先行技術文献】
【特許文献】
【０００４】
【特許文献１】特開２００１−２８２４２４号公報
【発明の概要】
【発明が解決しようとする課題】
【０００５】
スマートデバイス等のコンテンツ再生制御装置が、プロジェクタ等のコンテンツ再生装置を直接的に制御するためのアプリケーションとＰＣ等のコンテンツ出力装置を制御するためのアプリケーションとを個別に有している場合、ユーザは、所望のコンテンツをコンテンツ再生装置において再生するためには、これらのアプリケーションを切り替える操作を行う必要がある。ここで、コンテンツ再生装置を直接的に制御するためのアプリケーションが立ち上げられた場合には、コンテンツ再生装置におけるコンテンツの入力ソースをコンテンツ再生制御装置側に切り替える必要がある。さらに、コンテンツ出力装置を介して間接的にコンテンツ再生装置を制御するためのアプリケーションが立ち上げられた場合、コンテンツ再生装置におけるコンテンツの入力ソース（入力端子に対応）は、コンテンツ出力装置側に切り替えられる必要がある。従来、このような入力ソースの切り替えは、アプリケーションの切り替えのたびにユーザによる手動操作で行われている。
【０００６】
本発明は、前記の事情に鑑みてなされたもので、コンテンツ再生装置を直接的に制御する機能と間接的に制御する機能との切り替えをスムーズに行うことができ、かつ、これらの機能の切り替えに応じたコンテンツの入力ソースの切り替えの手間を削減することが可能なコンテンツ再生制御装置及びコンテンツ再生システム並びにコンテンツ再生方法及びコンテンツ再生プログラムを提供することを目的とする。
【課題を解決するための手段】
【０００７】
前記の目的を達成するために、本発明の第１の態様のコンテンツ再生制御装置は、コンテンツを再生するコンテンツ再生装置及び前記コンテンツ再生装置に前記コンテンツを出力するコンテンツ出力装置と接続され、前記コンテンツ再生装置及び前記コンテンツ出力装置を制御するコンテンツ再生制御装置であって、当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、前記第２のコンテンツを再生させると選択された場合に、前記コンテンツ再生装置における入力ソースを前記コンテンツ出力装置に切り替えるように前記コンテンツ再生装置に対して指示する制御部とを具備する。
【０００８】
前記の目的を達成するために、本発明の第２の態様のコンテンツ再生システムは、コンテンツを再生するコンテンツ再生装置と、前記コンテンツ再生装置に前記コンテンツを出力するコンテンツ出力装置と、前記コンテンツ再生装置及び前記コンテンツ出力装置と接続され、前記コンテンツ再生装置及び前記コンテンツ出力装置を制御するコンテンツ再生制御装置であって、当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、前記第２のコンテンツを再生させると選択された場合に、前記コンテンツ再生装置における入力ソースを前記コンテンツ出力装置に切り替えるように前記コンテンツ再生装置に対して指示する制御部とを具備するコンテンツ再生制御装置とを有する。
【０００９】
前記の目的を達成するために、本発明の第３の態様のコンテンツ再生方法は、コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生方法であって、前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、前記第２のコンテンツを再生させると選択された場合に、前記コンテンツ再生装置における入力ソースを前記コンテンツ出力装置に切り替えるように前記コンテンツ再生装置に対して指示することとを具備する。
【００１０】
前記の目的を達成するために、本発明の第４の態様のコンテンツ再生プログラムは、コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生プログラムであって、前記コンテンツ再生プログラムは、前記コンテンツ再生制御装置の制御部に、前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、前記第２のコンテンツを再生させると選択された場合に、前記コンテンツ再生装置における入力ソースを前記コンテンツ出力装置に切り替えるように前記コンテンツ再生装置に対して指示することとを実行させる。
【発明の効果】
【００１１】
本発明によれば、コンテンツ再生装置を直接的に制御する機能と間接的に制御する機能との切り替えをスムーズに行うことができ、かつ、これらの機能の切り替えに応じたコンテンツの入力ソースの切り替えの手間を削減することが可能なコンテンツ再生制御装置及びコンテンツ再生システム並びにコンテンツ再生方法及びコンテンツ再生プログラムを提供することができる。
【図面の簡単な説明】
【００１２】
【図１】本発明の一実施形態に係るコンテンツ再生システムの構成を示すブロック図である。
【図２】コンテンツ再生システムの適用例を示す図である。
【図３】本発明の一実施形態に係るコンテンツ再生システムの動作を示すフローチャートである。
【発明を実施するための形態】
【００１３】
以下、図面を参照して本発明の実施形態を説明する。図１は、本発明の一実施形態に係るコンテンツ再生システムの構成を示すブロック図である。図２は、コンテンツ再生システムの適用例を示す図である。図１に示すコンテンツ再生システム１は、コンテンツ再生装置１００と、コンテンツ出力装置２００と、コンテンツ再生制御装置３００とを有している。コンテンツ再生装置１００と、コンテンツ出力装置２００と、コンテンツ再生制御装置３００とは互いに通信自在に接続されている。図２に示す例のコンテンツ再生システム１において、コンテンツ再生装置１００は、プロジェクタである。また、コンテンツ出力装置２００は、パーソナルコンピュータ（ＰＣ）である。さらに、コンテンツ再生制御装置３００は、スマートデバイスである。以下、このように、コンテンツ再生装置１００がプロジェクタであり、コンテンツ出力装置２００がＰＣであり、コンテンツ再生制御装置３００がスマートデバイスであるとして、コンテンツ再生装置１００、コンテンツ出力装置２００、コンテンツ再生制御装置３００のそれぞれについて説明する。
【００１４】
コンテンツ再生装置１００は、複数の通信部１０２ａ、１０２ｂと、コンテンツ再生部１０４と、記憶部１０６と、操作部１０８と、制御部１１０とを有している。
【００１５】
通信部１０２ａは、コンテンツ再生制御装置３００と接続され、コンテンツ再生装置１００とコンテンツ再生制御装置３００との間のデータ転送を仲介するためのインタフェースとして機能する。コンテンツ再生制御装置３００に記憶されているコンテンツは、通信部１０２ａを介してコンテンツ再生装置１００に入力される。コンテンツ再生装置１００がプロジェクタである場合、通信部１０２ａは、例えばワイヤレスＬＡＮインタフェースである。なお、通信部１０２ａは、ワイヤドインタフェースであってもよい。
【００１６】
通信部１０２ｂは、コンテンツ出力装置２００と接続され、コンテンツ再生装置１００とコンテンツ出力装置２００との間のデータ転送を仲介するためのインタフェースとして機能する。コンテンツ出力装置２００に記憶されているコンテンツは、通信部１０２ｂを介してコンテンツ再生装置１００に入力される。コンテンツ再生装置１００がプロジェクタである場合、通信部１０２ｂは、例えばアナログＲＧＢ端子を含むインタフェース（入力端子）である。なお、通信部１０２ｂは、ワイヤレスインタフェースであってもよい。
【００１７】
コンテンツ再生部１０４は、通信部１０２ａ又は１０２ｂを介して入力されて記憶部１０６に記憶されたコンテンツを制御部１１０の制御に従って再生する。例えば、コンテンツ再生装置１００がプロジェクタである場合、コンテンツ再生部１０４は、コンテンツとしての画像データに基づいて画像投影を行う。この際、コンテンツ再生部１０４は、投影のための処理として、例えば画像データを投影に適したフォーマットなるように解像度等を変更する処理、投影光を投影面に向けて射出する光源を制御する処理、光源からの投影光の射出と同期するように画像データに応じて投影光を変調する処理等を行う。
【００１８】
記憶部１０６は、コンテンツ再生装置１００の動作に必要な制御プログラムを記憶した不揮発性記憶媒体を有している。また、記憶部１０６は、通信部１０２ａ又は通信部１０２ｂを介して入力されたコンテンツを一時的に記憶しておくための揮発性記憶媒体を有している。
【００１９】
操作部１０８は、ユーザがコンテンツ再生装置１００に対して直接的に操作指示をするために設けられた各種の操作部材（キー操作部等）である。操作部１０８により、例えばコンテンツ再生装置１００の電源投入の指示やコンテンツの再生の指示が行われる。
【００２０】
制御部１１０は、記憶部１０６に記憶されている制御プログラムに従ってコンテンツ再生装置１００の動作を制御する。コンテンツ再生装置１００は、コンテンツ再生制御装置３００の制御を受けることなく、単独でもコンテンツを再生可能なように構成されていてよい。
【００２１】
コンテンツ出力装置２００は、通信部２０２と、通信部２０４と、表示部２０６と、記憶部２０８と、操作部２１０と、制御部２１２とを有している。  
通信部２０２は、コンテンツ再生装置１００と接続され、コンテンツ出力装置２００とコンテンツ再生装置１００との間のデータ転送を仲介するためのインタフェースとして機能する。コンテンツ出力装置２００がＰＣである場合、通信部２０２は、例えばアナログＲＧＢ端子を含むインタフェース（出力端子）である。コンテンツ出力装置２００に記憶されているコンテンツは、通信部２０２を介してコンテンツ再生装置１００に出力される。
【００２２】
通信部２０４は、コンテンツ再生制御装置３００と接続され、コンテンツ出力装置２００とコンテンツ再生制御装置３００との間のデータ通信を仲介するためのインタフェースとして機能する。コンテンツ出力装置２００がＰＣである場合、通信部２０４は、例えばワイヤレスＬＡＮインタフェースである。
【００２３】
表示部２０６は、各種の画面（情報）を表示する。表示部２０６は、例えば液晶ディスプレイである。コンテンツ出力装置２００がＰＣである場合、表示部２０６には、デスクトップ画面やアプリケーションに応じた各種の画面等が表示される。
【００２４】
記憶部２０８は、コンテンツ出力装置２００の動作に必要な制御プログラム（オペレーティングシステム）及びコンテンツ出力装置２００において各種の特定の処理を行うためのアプリケーションを記憶した不揮発性記憶媒体を有している。この不揮発性記憶媒体には、コンテンツ再生装置１００において再生されるコンテンツ（コンテンツ再生装置１００がプロジェクタである場合には画像データ）も記憶される。
【００２５】
操作部２１０は、ユーザがコンテンツ出力装置２００に対して操作指示をするために設けられた操作部材である。コンテンツ出力装置２００がＰＣである場合、操作部２１０は、キーボードやマウス等の各種の操作部材である。
【００２６】
制御部２１２は、例えばＣＰＵであり、記憶部２０４に記憶されている制御プログラムに従ってコンテンツ出力装置２００の動作を制御する。また、制御部２１２は、起動されたアプリケーションに従って各種の処理を実行する。
【００２７】
コンテンツ再生制御装置３００は、通信部３０２と、通信部３０４と、表示部３０６ａと、タッチパネル３０６ｂと、記憶部３０８と、操作部３１０と、制御部３１２とを有している。
【００２８】
通信部３０２は、コンテンツ再生装置１００と接続され、コンテンツ再生制御装置３００とコンテンツ再生装置１００との間のデータ転送を仲介するためのインタフェースとして機能する。コンテンツ再生制御装置３００がスマートデバイスである場合、通信部３０２は、例えばワイヤレスＬＡＮインタフェースである。コンテンツ再生制御装置３００に記憶されているコンテンツは、通信部３０２を介してコンテンツ再生装置１００に出力される。
【００２９】
通信部３０４は、コンテンツ出力装置２００と接続され、コンテンツ再生制御装置３００とコンテンツ出力装置２００との間のデータ通信を仲介するためのインタフェースとして機能する。コンテンツ再生制御装置３００がスマートデバイスである場合、通信部３０４は、例えばワイヤレスＬＡＮインタフェースである。
【００３０】
表示部３０６ａは、各種の画面（情報）を表示する。表示部３０６ａは、例えば液晶ディスプレイである。コンテンツ再生制御装置３００がスマートデバイスである場合、表示部３０６ａには、アプリケーションの選択画面やデスクトップ画面やアプリケーションに応じた各種の画面等が表示される。さらに、本実施形態においては、後で説明する統合アプリケーションにおいてリモートデスクトップ制御が指示された場合には、コンテンツ出力装置２００としてのＰＣに表示されていたデスクトップ画面が表示部３０６ａに表示される。タッチパネル３０６ｂは、表示部３０６ａと一体的に形成されており、表示部３０６ａの表示画面上へのユーザの指等のタッチを検出し、検出したタッチ位置の情報を制御部３１２に出力するように構成された操作部である。
【００３１】
記憶部３０８は、コンテンツ再生制御装置３００の動作に必要な制御プログラム（オペレーティングシステム）及びコンテンツ再生制御装置３００において各種の特定の処理を行うためのアプリケーションを記憶した不揮発性記憶媒体を有している。この不揮発性記憶媒体には、コンテンツ再生装置１００において再生されるコンテンツ（コンテンツ再生装置１００がプロジェクタである場合には画像データ）も記憶される。さらに、本実施形態におけるコンテンツ再生制御装置３００の記憶部３０８には、コンテンツ再生装置１００の制御を行うためのアプリケーションとコンテンツ出力装置２００の制御を行うためのアプリケーションとが統合された統合アプリケーションが記憶されている。
【００３２】
操作部３１０は、ユーザがコンテンツ再生制御装置３００に対して操作指示をするために設けられたタッチパネル３０６ｂ以外の各種の操作部材である。操作部３１０により、例えばコンテンツ再生制御装置３００の電源投入の指示が行われる。
【００３３】
制御部３１２は、記憶部３０８に記憶されている制御プログラムに従ってコンテンツ再生制御装置３００の動作を制御する。また、制御部３１２は、起動されたアプリケーションに従って各種の処理を実行する。
【００３４】
次に、本実施形態に係るコンテンツ再生システム１の動作を図３のフローチャートを参照して説明する。図３において、まず、ユーザによってコンテンツ再生制御装置３００としてのスマートデバイスが起動される。スマートデバイスが起動されると、制御部３１２は、図２に示すように、アプリケーションの一覧を表示させる。ユーザは、スマートデバイスの表示部３０６ａに表示されたアプリケーションの一覧の中から所望のアプリケーションのアイコン３００ａをタッチする。タッチパネル３０６ｂで検出されたタッチ位置の情報は、アプリケーションの起動指示の情報として制御部３１２に出力される。タッチ位置の情報を受けて、制御部３１２は、アプリケーションを起動させる。図３の動作においては、制御部３１２は、ユーザによって統合アプリケーションの起動指示がされたか否かを判定する（ステップＳ１０１）。ステップＳ１０１において統合アプリケーションの起動指示がされていないと制御部３１２が判定した場合に、制御部３１２は、タッチ位置に応じた動作を行う。この動作は、タッチ位置にある、統合アプリケーション以外のアプリケーションを起動する動作などである。詳細については説明を省略する。
【００３５】
ステップＳ１０１において統合アプリケーションの起動指示がされたと制御部３１２が判定した場合に、制御部３１２は、統合アプリケーションを起動させる（ステップＳ１０２）。このとき、制御部３１２は、統合アプリケーションの起動画面を表示部３０６ａに表示させる。この起動画面には、少なくともワイヤレス投影を行うか又はリモートデスクトップ制御を行うかをユーザに選択させるためのアイコン等が表示される。
【００３６】
続いて、制御部３１２は、ユーザによってワイヤレス投影の実行が指示されたか否か、すなわちユーザがワイヤレス投影のアイコンにタッチしたか否かを判定する（ステップＳ１０３）。ステップＳ１０３においてワイヤレス投影の指示がなされたと制御部３１２が判定した場合に、制御部３１２は、コンテンツ再生装置１００としてのプロジェクタに対し、コンテンツ（この場合は画像データ）の入力ソースをコンテンツ再生制御装置３００としてのスマートデバイス側に切り替えるように通信部３０２を用いたワイヤレス通信によって指示を送る（ステップＳ１０４）。この指示を受けてコンテンツ再生装置１００の制御部１０２は、通信部１０２ａを介したコンテンツの入力を待つ。これ以後、コンテンツ再生装置１００は、コンテンツ再生制御装置３００の制御に従って動作する。
【００３７】
入力ソースの切り替え指示の後、制御部３１２は、記憶部３０８に記憶されているコンテンツを、通信部３０２を用いたワイヤレス通信によってコンテンツ再生装置１００に出力してコンテンツ再生装置１００におけるコンテンツの再生動作を開始させる（ステップＳ１０５）。その後、制御部３１２は、処理をステップＳ１１０に移行させる。コンテンツ再生装置１００がプロジェクタである場合、コンテンツ再生部１０４は、デジタルデータとして入力されるコンテンツ（画像データ）を所望のフォーマットに変換し、この変換した画像データに基づいて投影面への画像の投影を行う。
【００３８】
ステップＳ１０３においてワイヤレス投影の指示がなされていないと制御部３１２が判定した場合に、制御部３１２は、ユーザによってリモートデスクトップ制御の実行が指示されたか否か、すなわちユーザがリモートデスクトップのアイコンにタッチしたか否かを判定する（ステップＳ１０６）。ステップＳ１０６においてリモートデスクトップ制御の実行の指示がなされていないと制御部３１２が判定した場合に、制御部３１２は、処理をステップＳ１１０に移行させる。ステップＳ１０６においてリモートデスクトップ制御の実行の指示がなされたと判定した場合に、制御部３１２は、コンテンツ再生装置１００としてのプロジェクタに対し、コンテンツ（この場合は画像データ）の入力ソースをコンテンツ出力装置２００としてのＰＣ側に切り替えるように通信部３０２を用いたワイヤレス通信によって指示を送る（ステップＳ１０７）。この指示を受けてコンテンツ再生装置１００の制御部１０２は、通信部１０２ｂを介したコンテンツの入力を待つ。これ以後、コンテンツ再生装置１００は、コンテンツ出力装置２００を介したコンテンツ再生制御装置３００の制御に従って動作する。なお、ステップＳ１０７における指示はコンテンツ出力装置２００から行われてもよい。
【００３９】
入力ソースの切り替え指示の後、制御部３１２は、コンテンツ出力装置２００としてのＰＣに対してリモートデスクトップ制御の指示を送る（ステップＳ１０８）。その後、制御部３１２は、処理をステップＳ１１０に移行させる。コンテンツ出力装置２００としてのＰＣの制御部２１２は、通信部２０４を介してコンテンツ再生制御装置３００におけるリモートデスクトップ制御の際に必要となるデスクトップ画面等の画像データをコンテンツ再生制御装置に出力する。制御部３１２は、この画像データに基づいてリモートデスクトップ制御用のデスクトップ画面を表示部３０６ａに表示させる。なお、デスクトップ画面の表示中も統合アプリケーションの終了や機能の切り替えの指示が行えるよう、制御部３１２は、デスクトップ画面上に統合アプリケーションの操作用のアイコン等を合わせて表示させておくことが望ましい。コンテンツ再生制御装置３００に表示されたデスクトップ画面等において何等かの操作がされた場合には、その操作の内容がコンテンツ出力装置２００に反映される。このときの操作が、ユーザによって選択されたコンテンツの再生をコンテンツ再生装置１００において再生するように指示するための操作であった場合、コンテンツ出力装置２００は、記憶部２０８に記憶されているコンテンツを、通信部２０２を用いたワイヤド通信によってコンテンツ再生装置１００に出力してコンテンツ再生装置１００におけるコンテンツの再生動作を開始させる。
【００４０】
ステップＳ１０５、Ｓ１０６（Ｎｏ）、Ｓ１０８の後、制御部３１２は、ユーザによって統合アプリケーションの終了示がされたか否かを判定する（ステップＳ１１０）。ステップＳ１１０において統合アプリケーションの終了指示がされていないと制御部３１２が判定した場合に、制御部３１２は、処理をステップＳ１０３に戻す。ステップＳ１１０において統合アプリケーションの終了指示がされたと制御部３１２が判定した場合に、制御部３１２は、図３の処理を終了させる。
【００４１】
以上説明したように本実施形態によれば、ユーザは、コンテンツ再生装置１００をコンテンツ再生制御装置３００で直接的に制御する機能とコンテンツ出力装置２００を介して間接的に制御する機能とを統合アプリケーション上で切り替えることが可能である。すなわち、ユーザは、コンテンツ再生装置１００をコンテンツ再生制御装置３００で直接的に制御するためのアプリケーションとコンテンツ再生装置１００を、コンテンツ出力装置２００を介して間接的に制御する機能ためのアプリケーションとの間でのアプリケーションの切り替えをする必要がない。このため、本実施形態によれば、ユーザの手間を節減できる。また、本実施形態では、ユーザによる切り替えに応じて、コンテンツ再生装置１００における入力ソースの切り替えが自動的に行われる。これにより、ユーザはコンテンツ再生装置１００を操作して入力ソースを切り替える必要がない。したがって、本実施形態によれば、ユーザの手間をさらに節減することが可能である。
【００４２】
ここで、本実施形態では、コンテンツ再生装置１００がプロジェクタであり、コンテンツ出力装置２００がＰＣであり、コンテンツ再生制御装置３００がスマートデバイスであるとして説明している。しかしながら、コンテンツ再生装置１００はコンテンツの再生機能を有していればよく、コンテンツは必ずしも画像データである必要はない。例えば、コンテンツ再生装置１００は音声プレーヤであってよい。また、コンテンツ出力装置２００はコンテンツの出力機能を有していればよく、必ずしもＰＣのようにコンテンツの出力機能以外の機能を有していなくてもよい。さらに、コンテンツ再生制御装置３００もスマートデバイスでなくてもよい。
【００４３】
以上実施形態に基づいて本発明を説明したが、本発明は上述した実施形態に限定されるものではなく、本発明の要旨の範囲内で種々の変形や応用が可能なことは勿論である。また、前述の各動作フローチャートの説明において、便宜上「まず」、「次に」等を用いて動作を説明しているが、この順で動作を実施することが必須であることを意味するものではない。
【００４４】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【００４５】
ここで、本発明の要旨をまとめると以下のようなものを含む。  
［１］  コンテンツを再生するコンテンツ再生装置及び前記コンテンツ再生装置に前記コンテンツを出力するコンテンツ出力装置と接続され、前記コンテンツ再生装置及び前記コンテンツ出力装置を制御するコンテンツ再生制御装置であって、  
当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、  
前記第２のコンテンツを再生させると選択された場合に、前記コンテンツ再生装置における入力ソースを前記コンテンツ出力装置に切り替えるように前記コンテンツ再生装置に対して指示する制御部と、  
を具備するコンテンツ再生制御装置。  
［２］  前記制御部は、前記第１のコンテンツを再生させると選択された場合に、前記コンテンツ再生装置における入力ソースを前記コンテンツ再生制御装置に切り替えるように前記コンテンツ再生装置に対して指示する、  
［１］に記載のコンテンツ再生制御装置。  
［３］  前記コンテンツ出力装置は、パーソナルコンピュータであり、前記制御部によるリモートデスクトップ制御によって前記第２のコンテンツを出力する、  
［１］又は［２］に記載のコンテンツ再生制御装置。  
［４］  前記コンテンツ再生装置は、プロジェクタであり、入力された前記第１のコンテンツ又は前記第２のコンテンツを投影面に投影する、  
［１］乃至［３］の何れか１に記載のコンテンツ再生制御装置。  
［５］  前記コンテンツ再生装置は、前記コンテンツ再生制御装置とワイヤレス接続されている、  
［１］乃至［４］の何れか１に記載のコンテンツ再生制御装置。  
［６］  コンテンツを再生するコンテンツ再生装置と、  
前記コンテンツ再生装置に前記コンテンツを出力するコンテンツ出力装置と、  
前記コンテンツ再生装置及び前記コンテンツ出力装置と接続され、前記コンテンツ再生装置及び前記コンテンツ出力装置を制御するコンテンツ再生制御装置であって、  
当該コンテンツ再生制御装置内の第１のコンテンツを前記コンテンツ再生装置において再生させるか前記コンテンツ出力装置内の第２のコンテンツを前記コンテンツ再生装置において再生させるかを選択させるための操作部と、  
前記第２のコンテンツを再生させると選択された場合に、前記コンテンツ再生装置における入力ソースを前記コンテンツ出力装置に切り替えるように前記コンテンツ再生装置に対して指示する制御部と、  
を具備するコンテンツ再生制御装置と、  
を有するコンテンツ再生システム。  
［７］  コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生方法であって、  
前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、  
前記第２のコンテンツを再生させると選択された場合に、前記コンテンツ再生装置における入力ソースを前記コンテンツ出力装置に切り替えるように前記コンテンツ再生装置に対して指示することと、  
を具備するコンテンツ再生方法。  
［８］  コンテンツを再生するコンテンツ再生装置と、前記コンテンツ再生装置に前記コンテンツを出力するコンテンツ出力装置と、前記コンテンツ再生装置及び前記コンテンツ出力装置を制御するコンテンツ再生制御装置とを有するコンテンツ再生システムにおけるコンテンツ再生プログラムであって、前記コンテンツ再生プログラムは、前記コンテンツ再生制御装置の制御部に、  
前記コンテンツ再生制御装置内の第１のコンテンツを前記コンテンツ再生装置において再生させるか前記コンテンツ出力装置内の第２のコンテンツを前記コンテンツ再生装置において再生させるかを選択させることと、  
前記第２のコンテンツを再生させると選択された場合に、前記コンテンツ再生装置における入力ソースを前記コンテンツ出力装置に切り替えるように前記コンテンツ再生装置に対して指示することと、  
を実行させるためのコンテンツ再生プログラム。
【符号の説明】
【００４６】
１  コンテンツ再生システム、１００  コンテンツ再生装置、１０２  制御部、１０２ａ  通信部、１０２ｂ  通信部、１０４  コンテンツ再生部、１０６  記憶部、１０８  操作部、１１０  制御部、２００  コンテンツ再生制御装置、２００  コンテンツ出力装置、２０２  通信部、２０４  記憶部、２０４  通信部、２０６  表示部、２０８  記憶部、２１０  操作部、２１２  制御部、３００  コンテンツ再生制御装置、３００ａ  アイコン、３０２  通信部、３０４  通信部、３０６ａ  表示部、３０６ｂ  タッチパネル
３０８  記憶部、３１０  操作部、３１２  制御部
【図１】
2015119382.tif 000003
【図２】
2015119382.tif 000004
【図３】
2015119382.tif 000005